(57)【特許請求の範囲】
【請求項１】
洗濯機載置用の平坦面を有する床板の周囲に立ち上がる防水側壁を設けると共に、前記床板に少なくとも排水口を備えた洗濯機用防水パンにおいて、周囲の防水側壁が傾斜した立ち上がり内側面板と、この内側面板に水平方向に連なる平坦上面板、該平坦上面板から傾斜して下がる外側面板とから各面板間に縁凹部を形成した二重側壁からなっていて、洗濯機用防水パンを段積み重ねた際に、上方の洗濯機用防水パンの前記防水側壁の縁凹部に、下方の洗濯機用防水パンの防水側壁の平坦上面板が嵌合配置できる構成としたことを特徴とする洗濯機用防水パン。
【請求項２】
前記防水側壁が、縦横方向の寸法及び高さ方向の寸法が、次式を満足する構成となっていることを特徴とする請求項１記載の洗濯機用防水パン
A 1 ＜ B1      A2 ＜ B2      A3 ＜ B3 、  A4  ＜  B4、  C1  ＞ C2
【請求項３】
前記防水側壁の縁凹部内に、固定取付孔のあるボス部を前記平坦上面板の内面に突設されて備えられていると共に、所定間隔を置いて補強リブを一体に成形されていることを特徴とする請求項１または２記載の洗濯機用防水パン
【請求項４】
前記防水側壁の縁凹部に備えられたボス部が、その下端部が段積み重ねた下段の洗濯機用防水パンの前記平坦上面板に形成された固定取付孔内に嵌合されることを特徴とする請求項３記載の洗濯機用防水パン
【請求項５】
前記防水側壁の縁凹部に備えられたボス部が、下方向に向かって小径にしたテーパー状の柱体であって、その中央に取付けネジを挿入する固定取付孔を備えると共に、前記平坦上面板となる上端縁部に栓蓋を嵌合する栓嵌合孔を有し、下端縁部を前記床板の底面まで突出させたことを特徴とする請求項３または４記載の洗濯機用防水パン
【請求項６】
前記防水側壁の縁凹部に備えられた補強リブが、その下端縁部を段積み重ねた下段の洗濯機用防水パンの前記平坦上面板を嵌入する湾曲縁に形成されていることを特徴とする請求項３、４または５記載の洗濯機用防水パン。
【発明の詳細な説明】
【０００１】
【産業上の利用分野】
本発明は、アパートやマンションなどの集合住宅、その他の住宅内の床面に載置定着されて用いられる洗濯機用防水パン或いは出入口などの床面用の防水パンに関するものである。
【０００２】
【従来の技術】
従来の洗濯機用防水パンなどの防水パンでは、平坦面を有する床板の周囲に立ち上がる防水側壁を設けると共に、前記床板に少なくとも排水口を備えた洗濯機用防水パンとした製品が多用されれているが、これら製品は、防傷、防塵や体裁上などいろいろな観点を考慮して、販売、取引等の物流、その他の取扱い上、各防水パンごとに或いは複数枚の防水パンを一括して段ボールその他の梱包材、包装袋などで包装されていて取り扱われている。
【０００３】
【発明が解決しようとする課題】
従来の洗濯機用防水パンは、平坦盤状の製品で床面に施工工事の際に、梱包材、包装袋などを取り除き取付け固定すればよいため、梱包材、包装袋などは使い捨てとなっていると共に、防水パンの販売、取引等の物流、その他の取扱い上の便宜さを考慮した形態の防水パンの構成となっていない。
例えば、段ボールその他の梱包材、包装袋などで包装されている包装材の使い捨てでの廃棄物は、ごみ処理、その後処理で大気汚染など環境問題を誘因するほか、包装経費ばかりでなく廃棄処理費もかかり極めて不経済であり、しかも各防水パンごとに或いは複数枚の防水パンを一括して段ボールその他の梱包材で包装する梱包作業や積み込み、荷卸作業も厄介で、特に、複数枚一括梱包では、防水パンがずれたり、荷崩れによって段積みできないなどの不便があって物流コストも高くなるものであった。
【０００４】
本発明は、これらの諸問題に鑑みてなされたもので、防水パンの販売、取引等の物流、その他の取扱い上の便宜さを考慮した形態としたもので、複数枚の防水パンを重ねて段積み一括しても防水パンがずれたり、荷崩れを生ずることなく容易に段積みできて取り扱われ、一括して包装ができて包装の簡便化ができ、しかも段ボールなどの梱包材を用いることなく、焼却処分によっても大気汚染にならない合成樹脂中フイルムの安価な梱包材での包装ですみ、環境問題に対応できるほか、梱包経費、廃棄物処理費の大幅な削減ができ、物流取扱でも、梱包作業や積み込み荷卸作業の効率アップも図られる洗濯機用防水パンなどの防水パンを体裁良好で、安価な形態で提供することを目的としたものである。
【０００５】
【課題を解決するための手段】
本発明においては、上記目的を達成するため、洗濯機載置用の平坦面を有する床板の周囲に立ち上がる防水側壁を設けると共に、前記床板に少なくとも排水口を備えた洗濯機用防水パンにおいて、周囲の防水側壁が傾斜した立ち上がり内側面板と、この内側面板に水平方向に連なる平坦上面板、該平坦上面板から傾斜して下がる外側面板とから各面板間に縁凹部を形成した二重側壁からなっていて、洗濯機用防水パンを段積み重ねた際に、上方の洗濯機用防水パンの前記防水側壁の縁凹部に、下方の洗濯機用防水パンの防水側壁の平坦上面板が嵌合配置できる構成とした。
なお、前記防水側壁の縁凹部内に、固定取付孔のあるボス部を前記平坦上面板の内面に突設されて備えられていると共に、所定間隔を置いて補強リブを一体に成形されていることも特徴とする。
【０００６】
また、前記防水側壁の縁凹部に備えられたボス部が、その下端部が段積み重ねた下段の洗濯機用防水パンの前記平坦上面板に形成された固定取付孔内に嵌合されることと、該ボス部が、下方向に向かって小径にしたテーパー状の柱体であって、その中央に取付けネジを挿入する固定取付孔を有し、前記平坦上面板となる上端縁部に栓蓋を嵌合する嵌合孔を備えて、下端縁部を前記床板の底面まで突出させたことをも特徴としている。
【０００７】
さらに、前記防水側壁の縁凹部に備えられた補強リブが、その下端縁部を段積み重ねた下段の洗濯機用防水パンの前記平坦上面板を嵌入する湾曲縁に形成されていることが望ましい。
【０００８】
【作用】
上記構成を有する本発明によれば、床面に載置される洗濯機用防水パンは、洗濯機用防水パンを段積み重ねた際に、上方の洗濯機用防水パンの前記防水側壁の縁凹部に、下方の洗濯機用防水パンの防水側壁の平坦上面板が嵌合配置できる構成としたので、複数枚の防水パンを重ねて段積み一括しても防水パンがずれたり、荷崩れを生ずることなく容易に段積みできて取り扱われ、一括して包装ができて包装の簡便化ができ、しかも段ボールなどの梱包材を用いることなく、焼却処分によっても大気汚染にならない合成樹脂中フイルムの安価な梱包材での包装ですみ、環境問題に対応できるほか、梱包経費、廃棄物処理費の大幅な削減ができ、物流取扱でも、梱包作業や積み込み荷卸作業の効率アップも図られる。
【０００９】
【実施例】
以下、本発明の一実施例を図面を参照して説明する。
本実施例における洗濯機用防水パンは、図１乃至図４に示すごとく、洗濯機載置用の平坦面を有する床板１の周囲に立ち上がる防水側壁２を設けると共に、前記床板１に少なくとも排水口３を備えた洗濯機用防水パンにおいて、周囲の防水側壁が傾斜した立上がり内側面板２０と、この内側面板２０に連なり水平方向に連なる平坦上面板２１、該平坦上面板２１から傾斜して下がる外側面板２２とから各面板間に縁凹部２３を形成した二重側壁からなっていて、洗濯機用防水パンを段積み重ねた際に、上方の洗濯機用防水パンの前記防水側壁２の縁凹部２３に、下方の洗濯機用防水パンの防水側壁２の平坦上面板２１が嵌合配置できる構成としてある。
【００１０】
前記床板１の平坦面には排水用凹溝１０を必要に応じ形成してあり、また、前記防水側壁２としては、図２に示す如く、洗濯機用防水パンを段積み重ねた際に、上方の洗濯機用防水パンの前記防水側壁２の縁凹部２３に、下方の洗濯機用防水パンの防水側壁２の平坦上面板２１が嵌合配置できる構成とするために、前記防水側壁２が、縦横方向の寸法及び高さ方向の寸法が、次式を満足する構成となっている。
A 1 ＜ B1      A2 ＜ B2      A3 ＜ B3 、  A4  ＜  B4、  C1  ＞ C2
具体的には、前記防水側壁２の前記平坦上面板２１の幅と、縁凹部２３の開口幅との関係でいで平坦上面板２１が、縁凹部２３の開口部分に嵌入できる用に配慮してある。なお、前記平坦上面板２１は、上面を若干湾曲した曲面にした上面板としてもよい。
【００１１】
前記洗濯機用防水パンとしては、抗菌入りのＡＢＳ樹脂  ＰＰ樹脂、再生ポリエチレン樹脂などの合成樹脂或いは抗菌入りの樹脂で、射出成形或いは直圧プレスによって一体成形されるが、前記防水側壁２の縁凹部２３内には、固定取付孔４のあるボス部５を前記防水側壁２のほぼ四隅部に、前記平坦上面板２１の内面に突設されて備えられていると共に、所定間隔を置いて補強リブ６を一体に成形されている。
【００１２】
また、前記防水側壁２の縁凹部２３に備えられたボス部５は、その下端部が段積み重ねた下段の洗濯機用防水パンの前記平坦上面板に形成された固定取付孔４内に嵌合されることが考慮されるが、このボス部５が、下方向に向かって小径にしたテーパー柱状体として、その中央に取付けネジを挿入する固定取付孔４を備え、前記平坦上面板２１となる上端縁部に栓蓋（図示せず）を嵌合する栓嵌合孔７を形成して、下端縁部を前記床板の底面まで突出させ、防水パンの嵌合配置を確実にするようにしてある。
【００１３】
前記防水側壁２の縁凹部２３に備えられた補強リブ６としては、その下端縁部が段積み重ねた下段の洗濯機用防水パンの前記平坦上面板２１を嵌入する湾曲縁８に形成されていることで、段積みされた防水パンのズレやガタツキがない嵌合配置の確保が容易にできる。
【００１４】
なお、洗濯機用防水パンは、物流その他の取扱において  図４および図５に示すように、２〜２０段に段積み重ねた際に包装袋１０によって、まとめてパッケージすることができて包装材の使い捨てでの廃棄物は少なくて済み、包装経費ばかりでなく廃棄処理費もかかり極めて経済的であり、しかも複数枚の防水パンを一括して梱包材で包装するので、梱包作業や積み込み、荷卸作業も楽に取り扱うことができる。
【００１５】
そして、この洗濯機用防水パンは、図６に示すように、上面が開口した箱形に成形され、その床板１には片側に寄せて排水口３が角隅或いは中央位置に穿孔されており、家屋内の洗い場、風呂場やベランダに設置されて洗濯機１２を搭載し用いられて洗濯作業時に周囲に飛沫する水を集水して排水する。
【００１６】
【発明の効果】
以上のように本発明によれば、洗濯機載置用の平坦面を有する床板の周囲に立ち上がる防水側壁を設けると共に、前記床板に少なくとも排水口を備えた洗濯機用防水パンにおいて、周囲の防水側壁が傾斜した立ち上がり内側面板と、この内側面板に水平方向に連なる平坦上面板、該平坦上面板から傾斜して下がる外側面板とから各面板間に縁凹部を形成した二重側壁からなっていて、洗濯機用防水パンを段積み重ねた際に、上方の洗濯機用防水パンの前記防水側壁の縁凹部に、下方の洗濯機用防水パンの防水側壁の平坦上面板が嵌合配置できる構成として、防水パンの販売、取引等の物流、その他の取扱い上の便宜さを考慮した形態としたことにより、複数枚の防水パンを重ねて段積み一括しても防水パンがずれたり、荷崩れを生ずることなく容易に段積みできて取り扱われ、一括して包装ができて包装の簡便化ができ、しかも段ボールなどの梱包材を用いることなく、焼却処分によっても大気汚染にならない合成樹脂中フイルムの安価な梱包材での包装で済み、環境問題に対応できるほか、梱包経費、廃棄物処理費の大幅な削減ができ、物流取扱でも、梱包作業や積み込み荷卸作業の効率アップも図られるし、洗濯機用防水パンなどの防水パンとして床面に固定装着して用いられ、洗濯作業時に周囲に飛沫する水を集水して容易に排水することができ、床板の周囲にある二重側壁の防水側壁によって漏水することなく安全に洗濯作業が可能であり、その体裁も良好で、安価な形態とした洗濯機用防水パンとすることができる。
また、本発明によれば、防水側壁の縁凹部内に、固定取付孔のあるボス部を前記平坦上面板の内面に突設されて備えられていると共に、所定間隔を置いて補強リブを一体に成形されていることにより、複数枚の防水パンを重ねて段積み一括しても防水パンが、撓ったり、ずれたり、荷崩れを防止することができて安全に取り扱われ、防水パンの施工作業や運搬作業も簡便化することが可能になる。
【図面の簡単な説明】
【図１】本発明に係る洗濯機用防水パンの一実施例を示す平面図である。
【図２】図１の例の洗濯機用防水パンの断面を示し、（ａ）はその切断正面図、（ｂ）はその切断側面図である。
【図３】図１の例の洗濯機用防水パンの一部の断面を示し、（ａ）はＡ−Ａ線における拡大縦断面図、（ｂ）はＢ−Ｂ線における拡大縦断面図、（ｃ）はＣ−Ｃ線における拡大縦断面図である。
【図４】本発明に係る洗濯機用防水パンの段積みの一使用状態を示す、切断縦断面図である。
【図５】本発明に係る洗濯機用防水パンの一梱包状態を示す斜視図である。
【図６】本発明に係る洗濯機を用いた洗濯機用防水パンの使用状態の斜視図である。
【符号の説明】
１  床板
２  防水側壁
３  排水口
４  固定取付孔
５  ボス部
６  補強リブ
７  栓嵌合孔
８  湾曲縁
１０  排水凹溝
１１  包装袋
１２  洗濯機
２０  内側面板
２１  平坦上面板
２２  外側面板
２３  縁凹部
【図１】
0004245250.tif 000002
【図２】
0004245250.tif 000003
【図３】
0004245250.tif 000004
【図４】
0004245250.tif 000005
【図５】
0004245250.tif 000006
【図６】
0004245250.tif 000007